(57)【要約】【課題】折帳を複数重ね合わせて糊付けしてアジロとじしたときに、アジロとじ部の厚さを一様にできる。【解決手段】折畳装置の折畳胴群の下流側で、かつチョッパー折り手段の上流側に、等ピッチかつ等長の断続的な切り刃を外周に備えたアジロ刃とその切り刃を受け入れる切り刃受け部とからなり、折帳搬送手段で搬送される折帳にアジロとじ用切れ目を形成可能に設けた、アジロとじ用切れ目付け装置１において、アジロ刃２０、２０Ａ、２０Ｂが、折畳胴群ＣＳの最下流の胴の回転に対し、当該胴が折帳ＳＧを解放するための最小回転変位をしたときに整数の回転数にならない回転比率で駆動回転可能に設けられるとともに、折畳胴群の最下流の胴が折帳ＳＧを解放するための最小回転変位をしたときのアジロ刃の回転数に切り刃２０ａの数を乗じた積が、整数とならないアジロ刃とした。【選択図】        図１
2004238174.tif 000002
【特許請求の範囲】
【請求項１】
輪転機の折畳装置の折畳胴群の下流側で、かつチョッパー折り手段の上流側に、折畳胴群の最下流の胴が回転しつつ解放する折帳を前記最下流の胴の周面速度と同じ速度で搬送する折帳搬送手段を挟んで、等ピッチで、かつ等長の断続的な切り刃を外周に備えたアジロ刃とその切り刃を受け入れる切り刃受け部とからなり、折帳搬送手段で搬送される折帳にアジロとじ用切れ目を形成可能にした、アジロとじ用切れ目付け装置において、
前記アジロ刃が、
折畳胴群の最下流の胴の回転に対し、当該胴が折帳を解放するための最小回転変位をしたときに整数の回転数にならない回転比率で駆動回転可能に設けられるとともに、
前記折畳胴群の最下流の胴が折帳を解放するための最小回転変位をしたときのアジロ刃の回転数に切り刃の数を乗じた積が、整数とならないアジロ刃とした
ことを特徴とするアジロとじ用切れ目付け装置。
【請求項２】
輪転機の折畳装置の折畳胴群の下流側で、かつチョッパー折り手段の上流側に、折畳胴群の最下流の胴が回転しつつ解放する折帳を前記最下流の胴の周面速度と同じ速度で搬送する折帳搬送手段を挟んで、等ピッチで、かつ等長の断続的な切り刃を外周に備えたアジロ刃とその切り刃を受け入れる切り刃受け部とからなり、折帳搬送手段で搬送される折帳にアジロとじ用切れ目を形成可能にした、アジロとじ用切れ目付け装置において、
前記アジロ刃が、
折畳胴群の最下流の胴の回転に対し、当該胴が折帳を解放するための最小回転変位をしたときに整数の回転数にならない回転比率で駆動回転可能に設けられるとともに、
前記折畳胴群の最下流の胴が折帳を解放するための最小回転変位をしたときのアジロ刃の回転数に切り刃の数を乗じた積が、整数となるアジロ刃と整数とならないアジロ刃とを選択的に交換可能に設けられた
ことを特徴とするアジロとじ用切れ目付け装置。
【請求項３】
積が整数とならないアジロ刃の切り刃の長さを、隣り合う２つの切り刃間の切り欠き長さより大きくしたことを特徴とする、請求項１又は請求項２記載のアジロとじ用切れ目付け装置。
【発明の詳細な説明】
【０００１】
【発明の属する技術分野】
この発明は、アジロとじを行うための折帳を作成する際に、輪転機の折畳装置で折帳の背となる部分に断続切れ目を付ける、アジロとじ用切れ目付け装置に関し、詳細には、チョッパー折り前の折帳に断続切れ目を付ける、アジロとじ用切れ目付け装置に関する。
【０００２】
【従来の技術】
前記のようなアジロとじ用切れ目付け装置は、例えば特許文献１に記載されたものが公知である。
【０００３】
この装置は、輪転機の折畳装置の折畳胴群の下流側で、かつチョッパー折り手段の上流側に、折帳の折畳胴群からの排出間隔と同期して駆動回転されるように設けられた、断続する複数の切り刃を外周に備えたミシン刃（アジロ刃）と、このミシン刃と折帳搬送手段を挟んで対向するミシン刃受け部を備えたミシン刃受を有し、折帳搬送手段にて搬送される折帳と略同速の周速で回転するミシン刃が、当該折帳を切り裂いて、そのチョッパー折り位置にそって、ミシン目状（断続状）のスリットを付けるもので、折帳の折畳胴群からの排出間隔との同期回転によって、各折帳の走行方向の同位置にミシン目状（断続状）のスリットが付けられるようになっている。
【０００４】
そして、アジロとじでは、製本の際に、ミシン目状（断続状）のスリットに糊を付け、折帳の重なり合った各紙を当該スリットから入り込む糊で貼り付けて一体にするとともに、各折帳の走行方向の同位置に付けられたミシン目状（断続状）にそって折り畳んだ、複数の折帳を重ね合わせたときに重なり方向に、それぞれの折帳のスリットが一線に揃うことにより、当該スリットに付けた糊が連続し、重ね合わせた複数の折帳を繋ぎ合わせて一体にしている。
【０００５】
【特許文献１】
実公昭５３−２７０４７号公報（第１、２頁第１図、第２図）
【０００６】
【発明が解決しようとする課題】
しかし、ミシン目状（断続状）のスリットにそってチョッパー折りした折り目は、スリット部分を除いた部分にヘアピン状の折れ曲がり部分が生じてふくらむのに対して、スリット部分はヘアピン状の折れ曲がり部分が生じないため、この部分でのふくらみがほとんどない。
【０００７】
そのため、前記した従来のアジロとじ用切れ目付け装置によってミシン目状（断続状）のスリットを付けた折帳を前記したように複数重ね合わせると、重なり方向にスリットが揃った部分が他の部分より薄くなり、折帳を構成する紙によってはその厚薄の差が大きくなって、表紙付けなどの、複数の折帳を繋ぎ合わせて一体にした折帳群の後加工で不都合が生じる場合があった。
【０００８】
図９はその様子を模式的に示すもので、従来のアジロとじ用切れ目付け装置にてミシン目状（断続状）のスリットを設けてチョッパー折りした折帳ＳＧを複数組（３組）重ねた場合の、折れ曲がり部の切れ目側端を示す。図中ａはスリット部、ｂはヘアピン状の折れ曲がり部であり、スリット部ａが各折帳ＳＧで、これの折り目方向に揃っていることにより、各折帳の折れ曲がり部ｂも折り目方向に重なってしまい、この部分がスリット部ａが厚さ方向に重なる部分Ｌより厚薄の差Ｔだけ厚くなってしまう。
【０００９】
なお、図９における各折帳ＧＳは、チョッパー折り工程により８つ折りされていて８枚重ねになっており、スリット部ａでは８枚の紙の端面が見えることになる。そしてこのスリット部ａが重なる部分Ｌにて糊が浸透される。
【００１０】
この発明は上記課題を解決するためになされたもので、アジロとじ用切れ目付け装置において、切れ目を付けられてからチョッパー折りされた各折帳の切れ目位置を折り目にそって千鳥状に位置を変えることができ、複数の折帳をアジロとじしたときに、これの折り目にそった端部の厚さを一様にすることができるようにし、また、切れ目（スリット）を従来と同じように各折帳の同位置に付ける切れ目付けと、この切れ目（スリット）を各折帳で同位置とならないように付ける切れ目付けとの双方を、簡単な操作で交換できるようにして、この切れ目付けを、折帳を構成する紙の厚薄に応じて選択的に用いることにより、厚い紙の場合でも、折帳の折り曲がり部の折れ線方向に厚薄の差が大きくなるのを回避でき、表紙付けなどの折帳群の後加工で不都合が生じる不具合を一掃できるアジロとじ用切れ目付け装置を提供することを目的とするものである。
【００１１】
【課題を解決するための手段】
上記目的を達成するために、本発明に係るアジロとじ用切れ目付け装置は、輪転機の折畳装置の折畳胴群の下流側で、かつチョッパー折り手段の上流側に、折畳胴群の最下流の胴が回転しつつ解放する折帳を前記最下流の胴の周面速度と同じ速度で搬送する折帳搬送手段を挟んで、等ピッチで、かつ等長の断続的な切り刃を外周に備えたアジロ刃とその切り刃を受け入れる切り刃受け部とからなり、折帳搬送手段で搬送される折帳にアジロとじ用切れ目を形成可能にした、アジロとじ用切れ目付け装置において、前記アジロ刃が、折畳胴群の最下流の胴の回転に対し、当該胴が折帳を解放するための最小回転変位をしたときに整数の回転数にならない回転比率で駆動回転可能に設けられるとともに、前記折畳胴群の最下流の胴が折帳を解放するための最小回転変位をしたときのアジロ刃の回転数に切り刃の数を乗じた積が、整数とならないアジロ刃とした構成になっている。
【００１２】
また、前記アジロ刃が、折畳胴群の最下流の胴の回転に対し、当該胴が折帳を解放するための最小回転変位をしたときに整数の回転数にならない回転比率で駆動回転可能に設けられるとともに、前記折畳胴群の最下流の胴が折帳を解放するための最小回転変位をしたときのアジロ刃の回転数に切り刃の数を乗じた積が、整数となるアジロ刃と整数とならないアジロ刃とを選択的に交換可能に設けられた構成になっている。
【００１３】
そして前記アジロとじ用切れ目付け装置において、前記積が整数とならないアジロ刃の切り刃の長さを、隣り合う２つの切り刃間の切り欠き長さより大きくした。
【００１４】
【作  用】
前記構成によれば、輪転機の作動とともに折畳装置が作動し、折畳胴群の最下流の胴は、一回転するたびに所定のピッチで折帳搬送手段に折帳を解放する。折帳搬送手段は、そこに放出された折帳を、折帳搬送手段の搬送速度で搬送してアジロ刃とアジロ刃の切り刃を受け入れる切り刃受け部とが折帳搬送手段を挟んで対向して設置された位置に至らせる。アジロ刃の切り刃は、折帳搬送手段によって当該位置に至らせられ通過させられる折帳を、アジロ刃の回転にしたがって順次切り裂いて切り刃受け部に至り、折帳の所定位置、すなわち下流部でチョッパー折りされるときに折り目となる位置に、断続的なアジロとじ用切れ目を形成する。
【００１５】
このアジロとじ用切れ目を形成する際、折畳胴群の最下流の胴が折帳を解放するための最小回転変位をしたときの自らの回転数に自らの切り刃の数を乗じた「積」が整数とならないアジロ刃は、搬送される折帳に対する自らの回転位相が折帳ごとに相違するとともに、先行の折帳と後続の折帳に対し最初の切れ目を形成する切り刃の位置が一定にならない。つまり、当該アジロ刃は、各折帳に対し、相違した位置関係で最初の切れ目及びこれに続く切れ目を形成する。
【００１６】
また、折畳胴群の最下流の胴が折帳を解放するための最小回転変位をしたときの自らの回転数に自らの切り刃の数を乗じた「積」が整数となるアジロ刃は、搬送される折帳に対する自らの回転位相が折帳ごとに相違するものの、先行の折帳に最初の切れ目を形成した切り刃から数えて前記「積」の数値番目の切り刃の隣りの切り刃が、後続の折帳における先行の折帳の最初の切れ目位置と同じ位置に、後続の折帳の最初の切れ目を形成する。つまり、当該アジロ刃は、各折帳に対し、同一の位置関係で、最初の切れ目及びこれに続く切れ目を形成する。
【００１７】
切り刃の長さを、隣り合う２つの切り刃間の切り欠き長さより大きくしたアジロ刃は、２つの切れ目の間の部分より長さの大きなアジロとじ用切れ目を形成する。２つの切れ目の間の部分より長さの大きなアジロとじ用切れ目は、折り目方向の異なる位置にアジロとじ用切れ目を形成された複数の折帳を重ねたときに、隣接する折帳ではアジロとじ用切れ目位置の一部が必ず重なり合う部分を有することになり、当該部分に付された糊が連続することで、重ね合わせた複数の折帳を確実に繋ぎ合わせて一体にする。
【００１８】
【発明の実施の形態】
次にこの発明の１つの実施の形態について、図面を参照して説明する。
【００１９】
図１は、本発明に係るアジロとじ用切れ目付け装置１を備えた輪転機の折畳装置の概略構成を示す構成図、図２は、図１のＡ−Ａ矢視図でアジロとじ用切れ目付け装置の主要部を示す断面図、図３は、本発明に係るアジロとじ切れ目付け装置の駆動機構の動力伝達系統図、図４、図５は、選択的に交換して使用する本願発明に係るアジロ刃の実施の形態の概略的形状を示す正面図、図６は、アジロとじ用切れ目付け装置の主要部の一部を分解して示す斜視図、図７、図８は、切り刃数の相違するアジロ刃による、折帳に対するアジロとじ用切れ目の形成状態を示す説明図、図９は、折帳の折り目方向の同位置にアジロとじ用切れ目が形成された折帳を複数重ね合わせた切れ目側端面を示す図、図１０は、折帳の折り目方向の異なる位置にアジロとじ用切れ目が形成された折帳を複数重ね合わせた切れ目側端面を示す図である。
【００２０】
図１に示す輪転機の折畳装置Ｆは、連続紙Ｗを長手方向にそって２つ折りに折り畳むフォーマーＦＭ、フォーミングローラー対ＦＲ及びニッピングローラー対ＮＲを備えるとともに、長手方向にそって折り畳んだ連続紙Ｗを予め定めた所定長さの被切断紙Ｓに切断するための鋸刃ＣＢを有する鋸胴ＣＣ、被切断紙Ｓの先端部を自らの軸線と平行に設けられた保持針群ＮＤで保持し、かつ保持した被切断紙Ｓをその中央で４つ折りに折り畳むべく差し刃ＦＢで被切断紙Ｓの中央を外周面から突き出す折胴ＦＣ及び折胴ＦＣの外周面から突き出された被切断紙Ｓの中央を自らの軸線と平行に折り畳むべく咥え機構ＦＪで咥える咥胴ＪＣからなる、互いの軸線が平行で、かつフォーマーＦＭで折り畳まれた連続紙Ｗの面に平行であるとともに、この連続紙Ｗの走行方向に直角な折畳胴群ＣＳを備えている。
【００２１】
そして更に、この折畳胴群ＣＳの下流側に、咥胴ＪＣの咥え機構ＦＪから４つ折り状になって解放される被切断紙Ｓ、つまり４枚重ね状になった折帳ＳＧを搬送する折帳搬送手段であるコンベヤーＣＮを備え、このコンベヤーＣＮの途中に、コンベヤーＣＮで搬送される折帳ＳＧを搬送方向と平行に８つ折りに折り畳むためのチョッパー折り機構ＣＨ及び、このチョッパー折り機構ＣＨの上流側にこの発明に係るアジロとじ用切れ目付け装置（以下、切れ目付け装置とする）１が設けられている。
【００２２】
切れ目付け装置１は、前記コンベヤーＣＮの上側エンドレスベルトＣＮ１と下側エンドレスベルトＣＮ２が対向して接近させられて形成される折帳ＳＧの搬送域ＴＥを挟んで設けられる。
【００２３】
すなわち、搬送域ＴＥを挟んで上下の略対称の位置に、咥胴ＪＣの軸線と平行な回転軸１１、１２が設けられている。そして、上側の回転軸１１には図２に示すように、段状に大径になっている周面部を幅方向の略中央に備えたアジロ刃取付部材２１が回転軸１１と一体で回転可能に、かつ軸方向の取り付け位置を調整して固定可能に取り付けられている。このアジロ刃取付部材２１の前記周面部の幅方向の略中央には、アジロ刃２０がアジロ刃取付部材２１と一体で回転可能に、かつアジロ刃取付部材２１に対して取り外し可能に取り付けられている。
【００２４】
下側の回転軸１２には、同様に図２に示すように、アジロ刃取付部材２１の周面部と対向する略同じ幅の段状に大径になっている周面部を幅方向の略中央に備えた切り刃受け部材２２が回転軸１２と一体で回転可能に、かつ軸方向の取り付け位置を調整して固定可能に取り付けられている。
【００２５】
アジロ刃２０は、後述するように、例えば図４、図５に示すように、外周に一定ピッチで断続的に形成された切り刃２０ａを備えており、アジロ刃取付部材２１の周面部から少なくとも切り刃２０ａが突出した状態で取り付けられるようになっている。そして図２に示すように、切り刃受け部材２２の周面部の幅方向の略中央、つまり、アジロ刃２０と対応する位置には、アジロ刃取付部材２１に取り付けられたアジロ刃２０の切り刃２０ａが入り込み可能であるような溝２３が設けられている。
【００２６】
そしてこのアジロ刃取付部材２１と切り刃受け部材２２とは、双方の周面部が接近、又は接触して設けられており、コンベヤーＣＮの上側エンドレスベルトＣＮ１と下側エンドレスベルトＣＮ２に挟まれて搬送域ＴＥを搬送される折帳ＳＧを双方の周面部にて挟み、アジロ刃２０の切り刃２０ａが切り刃受け部材２２の溝２３に入り込んで切り刃２０ａによる切れ目５０を形成しつつ、コンベヤーＣＮの搬送速度と同じ速度で折帳ＳＧを下流側へ送り出すように構成されている。
【００２７】
切れ目付け装置１は、回転軸１１、１２のうちの少なくともアジロ刃取付部材２１を介してアジロ刃２０が取り付けられた方の回転軸１１が図３に示すように、駆動機構３０に連結されていて、アジロ刃取付部材２１が、つまりアジロ刃２０が前記折畳胴群ＣＳの最下流の胴、図示の実施の形態では咥胴ＪＣが折帳ＳＧを解放（排出）するための最小回転変位したときに整数の回転数にならない回転比率で駆動回転されるように設けられ、かつアジロ刃取付部材２１の周面部の周面速度が、咥胴ＪＣの周面速度と略同じ速度であるコンベヤーＣＮの搬送速度と同じになるように、アジロ刃取付部材２１の周面部の径寸法が定められている。なお、切り刃受け部材２２を取り付ける回転軸１２は、アジロ刃取付部材２１を取り付ける回転軸１１と歯車連結して、これが同一回転数で逆方向に回転するようにしてもよく、また、歯車連結せずに自由回転するようにしてもよい。
【００２８】
この実施の形態での折胴ＦＣ及び咥胴ＪＣの直径は鋸胴ＣＣの直径Ｄの２倍（２Ｄ）となっている。従って、咥胴ＪＣには２組の咥え機構ＦＪが円周方向に等間隔に設けられており、この咥胴ＪＣが１回転する間に、長さがπＤの折帳ＳＧを２組ずつの解放（排出）が可能になっている。従ってこの実施の形態における前記した咥胴ＪＣが折帳ＳＧを解放（排出）するための最小回転変位は０．５回転である。このことから、この最小回転変位は、咥え機構ＦＪの数分の１に置き替えることができる。
【００２９】
アジロ刃取付部材２１に取り付けるアジロ刃２０には、図４、図５に示すところの少なくとも２つの刃数Ｈが異なるアジロ刃２０Ａ、２０Ｂを選択的に取り付けて使用可能に構成されている。このアジロ刃２０Ａ、２０Ｂは外径は同じで、かつそれぞれは２つ割れに形成されている。
【００３０】
この２つのアジロ刃２０Ａ、２０Ｂの切り刃２０ａの数Ｈは、各アジロ刃２０Ａ、２０Ｂの咥胴ＪＣの１回転に対する回転数をＲ、咥胴ＪＣが１回転したときに解放（排出）可能な折帳ＳＧの数をＮ、整数をＩとしたときに、両アジロ刃２０Ａ、２０Ｂのうち、一方のアジロ刃２０Ａでは、（Ｈ×Ｒ／Ｎ＝Ｉ）を満足し、他方のアジロ刃２０Ｂでは、（Ｈ×Ｒ／Ｎ≠Ｉ）を満足するようにしている。
【００３１】
すなわち、一方のアジロ刃２０Ａでは、咥胴ＪＣが折帳ＳＧを解放するための最小回転変位をしたときのアジロ刃２０Ａの回転数（Ｒ／Ｎ）に切り刃の数（Ｈ）を乗じた「積」が整数となるように、また、他方のアジロ刃２０Ｂでは、咥胴ＪＣが折帳ＳＧを解放するための最小回転変位をしたときのアジロ刃２０Ｂの回転数（Ｒ／Ｎ）に切り刃の数（Ｈ）を乗じた「積」が整数とならないように、それぞれ設定されている。なお、この実施の形態ではＮは図１に示したように咥胴ＪＣに２組の咥え機構ＦＪがあることにより、Ｎ＝２である。
【００３２】
図示したこの実施の形態での切れ目付け装置１の回転軸１１を回転駆動する駆動機構３０は図３において、咥胴ＪＣに固定された歯数Ｔ１が９４の駆動歯車３１と、この駆動歯車３１に噛み合う歯数Ｔ２が４７の第１中間歯車３６ａと、中間軸３５に固定されてこれと同軸に回転する歯数Ｔ３が５８の第２中間歯車３６ｂと、回転軸１１に固定された歯数Ｔ４が２４の従動歯車３２と、第２中間歯車３６ｂとこの従動歯車３２とを連結する同一歯数の複数の連結歯車３７，３８とからなっている。
【００３３】
この駆動機構３０では、咥胴ＪＣが１回転すると、この駆動機構３０の減速比に従って、回転軸１１はＲ＝〔（（Ｔ１／Ｔ２）×Ｔ３）／Ｔ４〕回転となる。
【００３４】
そして図４、図５に示すように、この実施の形態での一方のアジロ刃２０Ａの切り刃２０ａは１２枚、他方の切り刃２０ａは１４枚となっている。
【００３５】
従って、一方のアジロ刃２０Ａを回転軸１１に取り付けた場合の（Ｈ×Ｒ／Ｎ）は（１２×（（（９４／４７）×５８）／２４）／２）となり、その値は２９となって整数となる。
【００３６】
また他方のアジロ刃２０Ｂを回転軸１１に取り付けた場合の（Ｈ×Ｒ／Ｎ）は（１４×（（（９４／４７）×５８）／２４）／２）となり、その値は３３．８３３…となって非整数となる。
【００３７】
各アジロ刃２０Ａ、２０Ｂは図４、図５に示すように、分割刃２０Ａ１、２０Ａ２、２０Ｂ１、２０Ｂ２に直径方向にそれぞれ２分割されていて、前記したようにアジロ刃取付部材２１を介して回転軸１１に取り外し可能に取り付けられるようになっており、その構成の一例を図６に基づいて説明する。
【００３８】
アジロ刃取付部材２１はこれの周面部の軸方向中間で軸方向に第１の分割部材２１ａと第２の分割部材２１ｂに２分割されており、第１の分割部材２１ａは回転軸１１に軸方向に移動可能に嵌め合っており、かつ止めねじ４１にて任意の位置に固定可能になっている。また、第２の分割部材２１ｂはさらに直径方向に第１・第２の小片部材２１ｃ、２１ｄに分割されていて、それぞれの軸方向端面に前記したアジロ刃２０Ａ、２０Ｂの各分割刃２０Ａ１、２０Ａ２、２０Ｂ１、２０Ｂ２のそれぞれがボルト４２にて取り外し可能に取り付けられるようになっている。そしてこの第２の分割部材２１ｂの両小片部材２１ｃ、２１ｄは回転軸１１を挟んだ状態で一方の小片部材２１ｄに軸直角方向に貫通し、他方の小片部材２１ｃにねじ込まれる２本のボルト４３ａ、４３ｂにて回転軸１１に固定することにより組み立てられるようになっている。このとき、図２に示すように、第１・第２の分割部材２１ａ、２１ｂはアジロ刃２０Ａ、２０Ｂを密に挟んだ状態でそれぞれ回転軸１１に固定されるが、これの軸方向の位置は、回転軸１１に移動可能に、かつ止めねじ４４にて回転軸１１に固定可能にした位置決め部材２５ａにて決められるようになっている。
【００３９】
切れ目付け装置１の切り刃受け部材２２も、溝２３の部分で軸方向に２分割されていて、一方の分割部材２２ａは軸方向に移動可能に、かつ止めねじにて回転軸１２に固定されるようになっている。なおこれの軸方向の位置決めは位置決め部材２５ｂにて行われるようになっている。そして他方の分割部材２２ｂも軸方向に移動可能にして回転軸１２に固定されるようになっているが、この他方の分割部材２２ｂは前記したアジロ刃取付部材２１の第２の分割部材２１ｂと同様に軸直角方向に分割してもよいが、一体であってもよい。また、切り刃受け部材２２全体が一体であってもよい。
【００４０】
前記したアジロ刃取付部材２１の第１の分割部材２１ａの対向端面には、第２の分割部材２１ｂの端面にアジロ刃２０Ａ、２０Ｂを取り付けるボルト４２の頭部を逃げるために、各ボルト４２に対応する位置にボルトの頭部が入る穴を設けるか、このボルトの頭部に対応する位置に環状の溝を設ける。
【００４１】
次に、以上の構成による動作、作用を説明する。
輪転機の動作開始とともに折畳装置Ｆが動作開始する。すると、連続紙Ｗが走行させられ、フォーマーＦＭを経てフォーミングローラー対ＦＲ及びニッピングローラー対ＮＲを通過する際に幅方向中央で走行方向にそって２つ折りに折られ、ニッピングローラー対ＮＲによって、折畳胴群ＣＳの鋸胴ＣＣと折胴ＦＣの間に送り込まれる。鋸胴ＣＣと折胴ＦＣの間に送り込まれた連続紙Ｗは、鋸胴ＣＣと折胴ＦＣの対向位置で、折胴ＦＣに中心角１８０度の等分位置に設けられた保持針群ＮＤの一方に保持されるとともに、その保持位置の直下流部分を鋸胴ＣＣの外周面に設けられた鋸刃ＣＢで切断される。
【００４２】
さらに、前記切断端を先頭に折胴ＦＣの回転にしたがって折胴ＦＣの外周面にそって引き出され、折胴ＦＣが略１８０度（０．５）回転すると、折胴ＦＣに設けられた他の保持針群ＮＤが鋸胴ＣＣと折胴ＦＣの対向位置で連続紙Ｗに突き刺さって連続紙Ｗが保持され、かつ鋸胴ＣＣが１回転して、連続紙Ｗが、前記他の保持針群ＮＤによって保持された位置の直下流部分を鋸胴ＣＣの外周面に設けられた鋸刃ＣＢで切断され、一方の保持針群ＮＤに保持された連続紙Ｗの先行側が、鋸刃ＣＢの設置ピッチ寸法と等しい長さ、図示の実施の形態では長さπＤの被切断紙Ｓとされる。また、前記連続紙Ｗの他の保持針群ＮＤによって保持された位置の直下流部分の切断されるのと略同期して、折胴ＦＣに設けられた差し刃ＦＢが折胴ＦＣの外周面から突出し、被切断紙Ｓの長さ方向中央部が、咥胴ＪＣに設けられた咥え機構ＦＪに向けて突き出されるとともに、この被切断紙Ｓの先行側がそこを保持していた保持針群ＮＤから解放される。
【００４３】
咥胴ＪＣに設けられた咥え機構ＦＪに向けて突き出された被切断紙Ｓは、咥え機構ＦＪに咥えられて長さ方向中央部で４つ折りに折り畳まれ、πＤの２分の１の長さの折帳ＳＧとされる。折帳ＳＧは、咥え機構ＦＪに咥えられた状態で咥胴ＪＣの回転に従って略１８０度回転変位させられる。咥胴ＪＣは折帳ＳＧを咥え機構ＦＪに咥えた状態で略１８０度回転変位し、当該位相で咥え機構ＦＪを開く。咥え機構ＦＪが開くことによって、折帳ＳＧは、折帳搬送手段を形成するコンベヤーＣＮの下側エンドレスベルトＣＮ２の、咥胴ＪＣ外周面にそって延長して設けられた部分の上面に解放される。
【００４４】
すなわち、咥胴ＪＣは、一回転するたびに所定長さの２つの折帳ＳＧを等ピッチで下側エンドレスベルトＣＮ２上に解放する。図示の実施の形態では、πＤの２分の１の長さの折帳ＳＧがπＤのピッチで下側エンドレスベルトＣＮ２上に解放されることが繰り返される。そして、折帳ＳＧは上側エンドレスベルトＣＮ１と下側エンドレスＣＮ２に挟まれて、上側エンドレスベルトＣＮ１と下側エンドレスベルトＣＮ２の間の折帳搬送域ＴＥを搬送移動される。
【００４５】
コンベヤーＣＮの上側エンドレスベルトＣＮ１と下側エンドレスベルトＣＮ２に挟まれて搬送される折帳ＳＧは、切れ目付け装置１が設けられた位置に至らされると、折帳搬送域ＴＥを挟んで設けられたアジロ刃取付部材２１の周面部と切り刃受け部材２２の周面部とに、所定位置、すなわちチョッパー折りの際に折り目となる位置の両側が挟まれて、周面部の周面速度がコンベヤーＣＮの搬送速度と同じ速度になるよう駆動回転されるアジロ刃取付部材２１の周面部によってコンベヤーＣＮの搬送速度と同じ速度で下流側に送り出されるとともに、アジロ刃取付部材２１の周面部から突出した状態の切り刃２１ａが切り刃受け部材２２の周面部に設けられた溝２３に入り込むことによって、前記チョッパー折りの際に折り目となる位置にそって断続的に切り裂かれ、断続状の切れ目であるアジロとじ用切れ目５０が形成される。
【００４６】
この切れ目５０が形成される際、前記したように、アジロ刃取付部材２１はその周面部の周面速度がコンベヤーＣＮの搬送速度と同じ速度になるように駆動回転される一方、アジロ刃２０は、咥胴ＪＣが折帳ＳＧを１つ解放する回転変位に対して整数回の回転とならないように駆動回転されている。
【００４７】
そのため、折畳胴群ＣＳの最下流の胴である咥胴ＪＣが折帳ＳＧを解放するための最小回転変位をしたときの自らの回転数に自らの切り刃２０ａの数を乗じた「積」が整数とならないアジロ刃２０Ｂは、搬送される折帳ＳＧに対する自らの回転位相が折帳ＳＧごとに相違するとともに、先行の折帳ＳＧと後続の折帳ＳＧに対し最初の切れ目５０ａを形成する切り刃２０ａの位置が一定にならない。つまり、アジロ刃２０Ｂは、各折帳ＳＧに対し、相違した位置関係で、最初の切れ目５０ａ及びこれに続く切れ目５０を形成する。図７はその様子を示すもので、πＤの間隔で排出されてくる各折帳ＳＧのそれぞれの最初の切れ目５０ａの位置が異なり、従って各折帳ＳＧの切れ目５０の位置が折帳ＳＧの走行方向にランダムにずれている。
【００４８】
一方、折畳胴群ＣＳの最下流の胴である咥胴ＪＣが折帳ＳＧを解放するための最小回転変位をしたときの自らの回転数に自らの切り刃２０ａの数を乗じた「積」が整数となるアジロ刃２０Ａは、搬送される折帳ＳＧに対する自らの回転位相が折帳ＳＧごとに相違するものの、先行の折帳ＳＧに最初の切れ目５０ａを形成した切り刃２０ａから数えて前記「積」の数値番目の切り刃２０ａの隣の切り刃２０ａが、後続の折帳ＳＧにおける先行の折帳ＳＧの最初の切れ目位置と同じ位置に、後続の折帳ＳＧの最初の切れ目５０ａを形成する。つまり、アジロ刃２０Ａは、各折帳ＳＧに対し、同一の位置関係で、最初の切れ目５０ａ及びこれに続く切れ目５０を形成する。図８はその様子を示すもので、πＤの間隔で排出されてくる各折帳ＳＧのそれぞれの最初の切れ目５０ａは同じ位置で、同じ長さとなり、従って各折帳ＳＧの切れ目５０は折帳ＳＧの走行方向に同一となる。
【００４９】
このように、アジロ刃取付部材２１に、咥胴ＪＣが折帳ＳＧを解放するための最小回転変位をしたときの自らの切り刃２０ａの数を乗じた「積」が整数とならないアジロ刃２０Ｂを取り付けることにより、各折帳ＳＧの折り目にそって設けられる切れ目５０は各折帳ＳＧごとに変えられる。
【００５０】
また、上記切り刃２０ａの数を乗じた「積」が整数となるアジロ刃２０Ａと整数とならないアジロ刃２０Ｂを、例えば折帳ＳＧの紙の物性や厚さに合わせて適宜に選択して交換することによって、各折帳ＳＧのチョッパー折りの折り目にそった同じ位置にアジロとじ用切れ目５０を付ける切れ目付けと、折り目にそった同位置にならない位置にアジロとじ用切れ目５０を付ける切れ目付けとの双方を、極めて容易に選択的に行うことができる。
【００５１】
そして、切り刃２０ａの数を乗じた「積」が整数となるアジロ刃２０Ａを用いて切れ目５０を付けた折帳を重ねたときの各折り目における切れ目は前述した従来技術の場合と同様に図９に示すように、折り目方向に同一になり、また、前記「積」が整数とならないアジロ刃２０Ｂを用いて切れ目５０を付けた折帳を重ねたときの各折り目における切れ目は図１０に示すように折り目方向に千鳥状になる。
【００５２】
さらに、アジロ刃２０Ｂにおいて、切り刃２０ａの長さを、隣り合う２つの切り刃間の切り欠き長さより大きくすることによって、切れ目５０を隣り合う２つの切れ目５０，５０の間の部分より長い切れ目として形成することができる。したがって、アジロ刃２０Ｂでチョッパー折りの折り目にそった同位置にならない位置に切れ目５０が設けられた場合でも、図１０にＬで示すように、チョッパー折りの折り目にそった同位置にならない位置に切れ目５０が設けられた折帳ＳＧを重ねたときに、隣接する折帳ＳＧでは切れ目５０の一部で必ず重なりあうことになる。すなわち、当該部分に糊を付して糊部分を厚さ方向に連続することで、重ね合わせた複数の折帳を確実に繋ぎ合わせて一体にすることができる。
【００５３】
切れ目付け装置１でアジロとじ用切れ目５０を付けられた各折帳ＳＧは、コンベヤーＣＮの上側エンドレスベルトＣＮ１と下側エンドレスベルトＣＮ２に挟まれて更に下流に搬送され、チョッパー折り機構ＣＨの設置位置に至ると、アジロとじ用切れ目５０を付けられた位置でチョッパー折りされ、コンベヤーＣＮの下方に設けられた搬出手段Ｋで、折畳装置から搬出される。
【００５４】
この発明において、前述した実施の形態では、折畳胴群ＣＳの最下流の胴である咥胴ＪＳが折帳ＳＧを解放するための最小回転変位をしたときの自らの回転数に自らの切り刃２０ａの数を乗じた「積」が整数となるアジロ刃２０Ａと、整数とならないアジロ刃２０Ｂを選択的に用いる例を示したが、前記「積」が整数とならないアジロ刃２０Ｂのみを用いて、全ての連続紙Ｗにおいて、切れ目５０を設けて折り畳んで重ねた折帳ＳＧの切れ目５０が折れ線方向に千鳥状にならぶようにしてもよい。この場合、アジロとじされる各折帳ＳＧごとのアジロとじ用の切れ目５０は、折帳ＳＧの折り目方向において千鳥状になり、従ってこのように複数の折帳ＳＧを重ね合わせたときの厚さは図１０に示すように折り目方向に一様となる。
【００５５】
【発明の効果】
本発明は以上記載のとおりであり、アジロとじ用の切れ目を付けて折り畳んだ折帳の切れ目を千鳥状にならべることができることにより、この折帳を複数重ね合わせて糊付けしてアジロとじしたときに、このアジロとじ部の厚さを折り目方向で一様にすることができる。
【００５６】
また、請求項２の発明では、切り刃の数が相違するアジロ刃を、例えば折帳の紙の物性や厚さに合わせて適宜に選択して交換することによって、各折帳のチョッパー折りの折り目にそった同じ位置にアジロとじ用切れ目を付ける切れ目付けと、折り目にそった同位置にならない位置にアジロとじ用切れ目を付ける切れ目付けとの双方を、極めて容易に選択的に行うことができるようになった。
【００５７】
そしてその結果、折帳を前記したように複数重ね合わせたときに、折帳を構成する紙によって生じる大きな厚薄の差を回避することが可能になり、表紙付けなどの後加工で生じていた、折帳を重ね合わせた折帳群の厚薄の大きな差によって生じていた不都合を一掃することが可能になった。
【００５８】
また、請求項３の発明では、チョッパー折りの折り目にそった同位置にならない位置にアジロとじ用切れ目を付けることが可能なアジロ刃で、隣り合う２つの切れ目の間の部分より長い切れ目を形成することができるので、チョッパー折りの折り目にそった同位置にならない位置に切れ目が設けられた折帳を重ねたときに、隣接する折帳では切れ目の一部で必ず重なり合うことになり、当該部分に糊を付して糊部分を厚さ方向に連続することができ、重ね合わせた複数の折帳を確実に繋ぎ合わせて一体にすることが可能である。
【図面の簡単な説明】
【図１】本願発明に係るアジロとじ用切れ目付け装置を備えた輪転機の折畳装置の概略構成を示す概略構成図である。
【図２】図１のＡ−Ａ矢視図でアジロとじ用切れ目付け装置の主要部を示す断面図である。
【図３】本発明に係るアジロとじ切れ目付け装置の駆動機構の動力伝達系統図である。
【図４】選択的に交換して使用する本発明に係るアジロ刃の概略形状を示す正面図である。
【図５】選択的に交換して使用する本発明に係るアジロ刃の概略形状を示す正面図である。
【図６】アジロとじ用切れ目付け装置の主要部の一部を分解して示す斜視図である。
【図７】切り刃数の相違するアジロ刃による、折帳に対するアジロとじ用切れ目の形成状態を示す説明図である。
【図８】切り刃数の相違するアジロ刃による、折帳に対するアジロとじ用切れ目の形成状態を示す説明図である。
【図９】折帳の折り目方向の同位置にアジロとじ用切れ目が形成された折帳を複数重ね合わせた切れ目側端面を示す図である。
【図１０】折帳の折り目方向の異なる位置にアジロとじ用切れ目が形成された折帳を複数重ね合わせた切れ目側端面を示す図である。
【符号の説明】
１…アジロとじ用切れ目付け装置（切れ目付け装置）、１１…回転軸、
１２…回転軸、
２０、２０Ａ、２０Ｂ…アジロ刃、２０Ａ１、２０Ａ２、２０Ｂ１、２０Ｂ２…分割刃、２０ａ…切り刃、２１…アジロ刃取付部材、２１ａ、２１ｂ…分割部材、２１ｃ、２１ｄ…小片部材、
２２…切り刃受け部材、２２ａ…溝、２５ａ、２５ｂ…位置決め部材、
３０…駆動機構、３１…駆動歯車、３２…従動歯車、
３６ａ、３６ｂ…中間歯車、３７、３８…連結歯車、
４２、４３ａ、４３ｂ…ボルト、４４、４４…止めねじ、
５０…切れ目（アジロとじ用切れ目）、５０ａ…最初の切れ目、
ＣＢ…鋸刃、ＣＣ…鋸胴、ＣＨ…チョッパー折り機構、ＣＮ…コンベヤー、
ＣＮ１…上側エンドレスベルト、ＣＮ２…下側エンドレスベルト、
ＣＳ…折畳胴群、Ｆ…折畳装置、ＦＢ…差し刃、ＦＣ…折胴、
ＦＪ…咥え機構、ＦＭ…フォーマー、ＦＲ…フォーミングローラー対、
ＪＣ…咥胴、Ｋ…搬出手段、Ｌ…折帳を複数重ね合わせたときに切れ目が重なりあった部分、
ＮＤ…保持針群、ＮＲ…ニッピングローラー対、Ｓ…被切断紙、ＳＧ…折帳、
Ｔ…折帳を複数重ね合わせたときの厚薄の差、ＴＥ…折帳の搬送域、Ｗ…連続紙、
Ｈ…切り刃の数、Ｉ…整数、Ｎ…咥胴が１回転して解放可能な折帳の最大数、
Ｒ…折畳胴群の最下流の胴（咥胴）の１回転に対するアジロ刃の回転数、
ａ…スリット部、ｂ…折れ曲がり部。
【図１】
2004238174.tif 000003
【図２】
2004238174.tif 000004
【図３】
2004238174.tif 000005
【図４】
2004238174.tif 000006
【図５】
2004238174.tif 000007
【図６】
2004238174.tif 000008
【図７】
2004238174.tif 000009
【図８】
2004238174.tif 000010
【図９】
2004238174.tif 000011
【図１０】
2004238174.tif 000012